(57)【要約】【課題】照明演出シーケンスの設定において、ユーザの直感的なシーケンス編集及び設定を可能とするシーケンス設定装置を提供する。【解決手段】照明演出シーケンスを設定するためのシーケンス設定装置（１）は、周方向に時間が規定された円又は楕円形の周回表示領域（４０）を表示出力部（３）の表示画面（４）に出力する周回表示編集部（１００）と、ユーザ入力部（２）からの入力に応じて決定された照明演出シーケンスの表示色を、周回表示領域（４０）を周方向に分割したセグメント（Ｓ）に割り付けるセグメント生成部（１０２）を備える。【選択図】図２Ｂ
2015225775.tif 000002
【特許請求の範囲】
【請求項１】
ユーザ入力部及び表示出力部に接続され、照明演出シーケンスを設定するためのシーケンス設定装置であって、
周方向に時間が規定された円又は楕円形の周回表示領域を前記表示出力部の表示画面に出力する周回表示編集部と、
前記ユーザ入力部からの入力に応じて決定された前記照明演出シーケンスの表示色を、前記周回表示領域を周方向に分割したセグメントに割り付けるセグメント生成部と
を備えたシーケンス設定装置。
【請求項２】
請求項１に記載のシーケンス設定装置において、前記周回表示編集部が、前記ユーザ入力部からの入力に応じて前記セグメントの中心角を調整するように構成されたシーケンス設定装置。
【請求項３】
請求項１又は２に記載のシーケンス設定装置であって、
前記周回表示領域の１周の時間に対応するタイムレンジを決定させるためのタイムプロパティ領域を前記表示画面に出力させるタイムレンジ設定部を更に備えたシーケンス設定装置。
【請求項４】
請求項３に記載のシーケンス設定装置において、前記周回表示編集部が、前記タイムプロパティ領域において選択されたタイムレンジに対応して前記セグメントの中心角を決定するように構成されたシーケンス設定装置。
【請求項５】
請求項１から４のいずれか一項に記載のシーケンス設定装置であって、
前記表示画面上に表示された再生操作領域からユーザ操作を受け付ける再生操作処理部と、
前記ユーザ操作に応じて、前記周回表示領域のセグメントに割り付けられた表示色を所定の再生表示領域に時系列で再生表示させる再生表示出力部と
を更に備えたシーケンス設定装置。
【請求項６】
請求項１から５のいずれか一項に記載のシーケンス設定装置において、前記周回表示領域が外円及び内円を有し、前記内円の内側に時間がデジタル表示されるように構成され、前記デジタル表示が、前記所定のセグメントに関連する時間を示す、シーケンス設定装置。
【請求項７】
請求項５に記載のシーケンス設定装置において、前記周回表示領域が外円及び内円を有し、前記内円の内側に前記再生操作領域が含まれる、シーケンス設定装置。
【請求項８】
請求項５に記載のシーケンス設定装置において、前記周回表示領域が外円及び内円を有し、前記内円の内側に、前記表示色の選択肢を示すカラーパレット、前記セグメントに関する情報を表示する領域、又は前記所定の再生表示領域が含まれる、シーケンス設定装置。
【請求項９】
請求項５から８のいずれか一項に記載のシーケンス設定装置であって、
前記再生表示中に、前記周回表示編集部が、再生時間に対応して前記周回表示領域の中心部に対して回転するインジケータを表示させるように構成されたシーケンス設定装置。
【請求項１０】
請求項１から９のいずれか一項に記載のシーケンス設定装置において、前記周回表示領域の開始時間と終了時間が、前記周回表示領域の１周の時間又は１周の４分の１の時間ごとにシフト可能に構成されたシーケンス設定装置。
【請求項１１】
請求項１から１０のいずれか一項に記載のシーケンス設定装置において、前記周回表示領域の１周の時間に対応する時間がＸ分又はＹ時間であり、前記Ｘが６０の約数であり、前記Ｙが２４の約数である、シーケンス設定装置。
【請求項１２】
請求項１から１１のいずれか一項に記載のシーケンス設定装置であって、
各々が照明装置のグループに対応する複数の前記周回表示領域を表示させるグループ一覧表示部と、
前記複数の周回表示領域から、前記ユーザ入力部からの入力に基づいて１つの周回表示領域を前記周回表示編集部による編集対象として選択するグループ選択部と
を更に備えたシーケンス設定装置。
【請求項１３】
請求項１から１２のいずれか一項に記載のシーケンス設定装置と、前記ユーザ入力部と、前記表示出力部とを備えたシーケンス設定システム。
【請求項１４】
コンピュータを、請求項１から１２のいずれか一項に記載のシーケンス設定装置が備える各部として機能させるためのプログラム。
【請求項１５】
請求項１４に記載されたプログラムが記憶されたコンピュータ可読記憶媒体。
【請求項１６】
ユーザ入力部及び表示出力部に接続されたシーケンス設定装置において、照明演出シーケンスを設定するための方法であって、
周方向に時間が規定された円又は楕円形の周回表示領域を前記表示出力部の表示画面に出力するステップと、
前記ユーザ入力部からの入力に応じて決定された照明演出シーケンスの表示色を、前記周回表示領域を周方向に分割したセグメントに割り付けるステップと
を備える方法。
【請求項１７】
請求項１６に記載の方法であって、前記ユーザ入力部からの入力に応じて前記セグメントの中心角が調整される、方法。
【請求項１８】
請求項１６又は１７に記載の方法において、前記周回表示領域の１周の時間に対応するタイムレンジを決定させるためのタイムプロパティ領域を前記表示画面に出力させるステップを更に備える方法。
【請求項１９】
請求項１８に記載の方法において、前記タイムプロパティ領域において選択されたタイムレンジに対応して前記セグメントの中心角が決定される、方法。
【請求項２０】
請求項１６から１９のいずれか一項に記載の方法であって、
前記表示画面上に出力された再生操作領域からユーザ操作を受け付けるステップと、
前記ユーザ操作に応じて、前記周回表示領域のセグメントに割り付けられた表示色を所定の再生表示領域に時系列で再生表示させるステップと
を更に備える方法。
【請求項２１】
請求項１６から２０のいずれか一項に記載の方法において、前記周回表示領域が外円及び内円を有し、前記内円の内側に時間がデジタル表示され、該デジタル表示が、前記所定のセグメントに関連する時間を示す、方法。
【請求項２２】
請求項１６に記載の方法において、前記周回表示領域が外円及び内円を有し、前記内円の内側に前記再生操作領域が含まれる、方法。
【請求項２３】
請求項１６に記載の方法において、前記周回表示領域が外円及び内円を有し、前記内円の内側に、前記表示色の選択肢を示すカラーパレット、前記セグメントに関する情報を表示する領域、又は前記所定の再生表示領域が含まれる、方法。
【請求項２４】
請求項２０から２３のいずれか一項に記載の方法において、前記再生表示中に、再生時間に対応して前記周回表示領域の中心部に対して回転するインジケータが表示される、方法。
【請求項２５】
請求項１６から２４のいずれか一項に記載の方法において、前記周回表示領域の開始時間と終了時間が、前記周回表示領域の１周の４分の１の時間ごとにシフトされる、方法。
【請求項２６】
請求項１６から２５のいずれか一項に記載の方法において、前記周回表示領域の１周の時間に対応する時間がＸ分又はＹ時間であり、前記Ｘが６０の約数であり、前記Ｙが２４の約数である、方法。
【請求項２７】
請求項１６から２６のいずれか一項に記載の方法であって、
各々が照明装置のグループに対応する複数の前記周回表示領域を表示させるステップと、
前記複数の周回表示領域から、前記ユーザ入力部からの入力に基づいて１つの周回表示領域を前記周回表示編集部による編集対象として選択するステップと
を更に備える方法。
【発明の詳細な説明】
【技術分野】
【０００１】
本発明は、照明演出シーケンスを設定するためのシーケンス設定装置、シーケンス設定システム、プログラム及び方法に関する。
【背景技術】
【０００２】
特許文献１は、舞台装置等の仮想演出装置及び方法を開示する。仮想演出装置では、電子スクリプトの実行が、仮想演出マスタコントロールスクリーン上でパフォーマンスディレクタによって管理される（同文献図３参照）。この仮想演出装置によると、パフォーマンスディレクタは、パフォーマンスのタイミングを示す継続時間インジケータに基づいて、例えば、照明の調整、サウンド効果、物理的なステージの移動等の仮想演出効果をスクリーン上で調整することができる。
【先行技術文献】
【特許文献】
【０００３】
【特許文献１】特表２００３−５３３２３５号公報
【発明の概要】
【発明が解決しようとする課題】
【０００４】
しかし、特許文献１の仮想演出装置では、特に照明の調整に関して、継続時間インジケータと照明の発光色の変化との関係が直感的に把握され難く、しかも調整方法が複雑である。すなわち、１つのパフォーマンスにおける照明効果のシーケンスの全体の流れを直感的に把握しながら編集設定作業をするのが難しく、あるいは１つのパフォーマンス中において１つの照明効果（１つの発光色）が占める割合を直感的に把握しながら照明効果のシーケンスを編集及び設定することが難しい。したがって、照明効果のシーケンスの調整には多くの試行錯誤が伴う可能性がある。
【０００５】
そこで、本発明は、照明演出シーケンスの設定に関して、ユーザの直感的なシーケンス編集及び設定を促進するシーケンス設定装置、シーケンス設定システム、プログラム及び方法を提供することを課題とする。
【課題を解決するための手段】
【０００６】
本発明の、ユーザ入力部及び表示出力部に接続される照明演出シーケンスを設定するためのシーケンス設定装置は、周方向に時間が規定された円又は楕円形の周回表示領域を表示出力部の表示画面に出力する周回表示編集部と、ユーザ入力部からの入力に応じて決定された照明演出シーケンスの表示色を、周回表示領域を周方向に分割したセグメントに割り付けるセグメント生成部とを備える。
【０００７】
上記シーケンス設定装置によると、照明演出シーケンスの設定において、シーケンスを構成する表示色が、周方向に時間が規定された円又は楕円形の周回表示領域に設けられるセグメントを利用して決定されるので、ユーザはシーケンス全体に対する各表示色の関係を直感的に把握し易い。したがって、この構成によると、照明演出シーケンスの設定に関して、ユーザの直感的なシーケンス編集及び設定を促進することが可能となる。
【０００８】
ここで、周回表示編集部が、ユーザ入力部からの入力に応じてセグメントの中心角を調整するように構成される。これにより、ユーザは容易にシーケンス全体に対する各表示色の時間的要素を容易かつ直感的に決定することができる。
【０００９】
また、周回表示領域の１周の時間に対応するタイムレンジを決定させるためのタイムプロパティ領域を表示画面に出力させるタイムレンジ設定部が更に設けられる。これにより、シーケンスの全体の長さを考慮して周回表示領域を編集及び設定することが可能となる。
【００１０】
また、周回表示編集部は、選択されたタイムレンジに対応してセグメントの中心角を決定するように構成される。これにより、あらゆるタイムレンジに対してセグメントが適切に配置される。
【００１１】
また更に、表示画面上の再生操作領域からのユーザ操作を受け付ける再生操作処理部と、再生操作領域で受け付けたユーザ操作に応じて、周回表示領域のセグメントに割り付けられた表示色を所定の再生表示領域に時系列で再生表示させる再生表示出力部とが設けられる。これにより、ユーザは設定された照明演出シーケンスの時間的遷移を容易に確認することができる。
【００１２】
また、周回表示領域が外円及び内円を有し、内円の内側に時間がデジタル表示されるように構成され、このデジタル表示が所定のセグメントに関連する時間を示すようにしてもよい。これにより、シーケンス設定装置の操作における時間的要素に関して、周回表示領域によるアナログ的な時間表示と上記デジタル表示によるデジタル的な時間表示を両立して動作の視認性を高めることができる。
【００１３】
上記において、周回表示領域が外円及び内円を有し、内円の内側に再生操作領域が含まれるようにしてもよい。これにより、表示画面における表示スペース効率が向上するとともに、ユーザにおける操作性が高まる。
【００１４】
また、周回表示領域が外円及び内円を有し、内円の内側に、表示色の選択肢を示すカラーパレット、セグメントに関する情報を表示する領域、又は上記所定の再生表示領域が含まれるようにしてもよい。この構成によっても、表示画面における表示スペース効率が向上する。
【００１５】
更に、再生表示中に、周回表示編集部が、再生時間に対応して、周回表示領域の中心部に対して回転するインジケータを表示させるように構成される。これにより、周回表示領域において設定されたシーケンスと再生表示領域に表示されるシーケンスとの相関についてのより直接的な把握が可能となり、直感的なシーケンスの設定に貢献する。
【００１６】
また、周回表示領域の開始時間と終了時間が、周回表示領域の１周の時間又は１周の４分の１の時間ごとにシフト可能に構成される。これにより、シーケンスの全体の期間長が周回表示領域の１周よりも長い場合でも、編集及び設定における直感性が損なわれない。
【００１７】
また、周回表示領域の１周の時間に対応する時間がＸ分又はＹ時間であり、Ｘが６０の約数であり、Ｙが２４の約数であることが好ましい。これにより、ユーザは周回表示領域における時間的要素を比較的容易な暗算又は目視で把握することができ、周回表示領域の直感的な編集が促進される。
【００１８】
また更に、各々が照明装置のグループに対応する複数の周回表示領域を表示させるグループ一覧表示部と、複数の周回表示領域から、ユーザ入力部からの入力に基づいて１つの周回表示領域を周回表示編集部による編集対象として選択するグループ選択部とを備えることができる。これにより、複数の照明装置に対応する照明演出シーケンスの設定においても上記の各効果が得られる。
【００１９】
本発明はさらに、上記シーケンス設定装置、ユーザ入力部及び表示出力部を備えたシーケンス設定システムを含む。また、本発明は、コンピュータを、上記シーケンス設定装置が備える各部として機能させるためのプログラムを含む。更に、本発明は、そのプログラムが記憶されたコンピュータ可読記憶媒体も含む。また更に、本発明は、上記シーケンス設定装置の各部の処理を実行するステップを備える照明演出シーケンスを設定するための方法も含む。
【図面の簡単な説明】
【００２０】
【図１】本発明の第１の実施形態によるシーケンス設定装置及びシステムのブロック図である。
【図２Ａ】第１の実施形態によるシーケンス設定装置における、照明演出シーケンス設定前の表示画面を示す図である。
【図２Ｂ】図２Ａに対応する照明演出シーケンス再生時の表示画面を示す図である。
【図３】第１の実施形態のシーケンス設定装置におけるシーケンス設定のフローチャートである。
【図４Ａ】本発明の第２の実施形態によるシーケンス設定装置における、照明演出シーケンス設定前の表示画面を示す図である。
【図４Ｂ】図４Ａに対応する照明演出シーケンス再生時の表示画面を示す図である。
【図５】第１及び第２の実施形態における表示画面の変形例を示す図である。
【図６Ａ】第１の実施形態における周回表示領域の変形例を示す図である。
【図６Ｂ】第２の実施形態における周回表示領域の変形例を示す図である。
【図７】本発明の第３の実施形態によるシーケンス設定装置及びシステムのブロック図である。
【図８】第３の実施形態によるシーケンス設定装置におけるホーム画面を示す図である。
【図９】第３の実施形態によるシーケンス設定装置における再生表示画面を示す図である。
【発明を実施するための形態】
【００２１】
＜第１の実施形態＞
図１に、本発明の第１の実施形態によるフルカラーの照明演出シーケンス（以下、「シーケンス」という）を設定するためのシーケンス設定装置１及びシーケンス設定システム５のブロック図を示す。シーケンス設定装置１はユーザ入力部２及び表示出力部３に接続され、これらはバス等によって相互に通信可能な態様で接続されている。シーケンス設定装置１、ユーザ入力部２及び表示出力部３によってシーケンス設定システム５が構成される。シーケンス設定装置１が制御装置（通信装置）６を介してＬＥＤ照明器具等の照明装置７に通信接続されると、照明装置７は、シーケンス設定装置１で設定されたシーケンスに従った発光色によって発光するよう制御される。なお、制御装置６は照明装置７に含まれていてもよい。以降の各図面において、図面及びその説明の明瞭化のため、一部の要素又は符号が省略され得るが、当業者であればその省略部分を補完して各実施形態を理解することができるはずである。
【００２２】
ユーザ入力部２は、マウス、キーボード、ジョイスティック、又は表示出力部３上のタッチパネルであればよく、ユーザ入力を受け付けて、ユーザ入力に対応する信号をシーケンス設定装置１に伝達可能なものであればよい。表示出力部３は液晶表示ディスプレイ等であればよく、表示画面４を有する。
【００２３】
シーケンス設定装置１は、ＣＰＵ１０、入出力インターフェイス（Ｉ／Ｆ）１１、メモリ１２及び照明制御部１３を備える。ＣＰＵ１０は、周回表示編集部１００、タイムレンジ設定部１０１、セグメント生成部１０２、再生操作処理部１０３及び再生表示出力部１０４を備える。これらの各部はバスＢによって相互に通信可能な態様で接続され、ＣＰＵ１０内において、各部間の信号のやりとりが適宜制御される。入出力インターフェイス１１は、ユーザ入力部２からの入力信号を適切な形式に変換してＣＰＵ１０に供給するとともに、ＣＰＵ１０からの出力信号を適切な形式に変換して表示出力部３及び制御装置６に供給する。メモリ１２はプログラム及びデータを記憶するＲＡＭ、ＲＯＭ等のメモリであり、設定されたシーケンス等を記憶する。照明制御部１３はメモリ１２に記憶されたシーケンスを、入出力インターフェイス１１を介して制御装置６に出力する。なお、照明制御部１３は制御装置６に含まれていてもよい。各部の詳細については後述する。
【００２４】
図２Ａ及び図２Ｂに、表示画面４の構成を示す。図２Ａはシーケンス設定前の表示画面４を示し、図２Ｂはシーケンス再生時の表示画面４を示す。図２Ａ及び図２Ｂに示すように、概略として、表示画面４は、画面中央部の周回表示領域４０、画面右下のタイムプロパティ領域４１、画面左上のカラーパレット領域４２、画面左下のオブジェクトプロパティ領域４３、周回表示領域４０の中央部の再生操作領域４４、及び画面右上の再生表示領域４５を有する。ただし、各領域の配置は変更可能である。例えば、タイムプロパティ領域４１は、横長に形成され、周回表示領域４０の上方又は下方に配置されていてもよいし、再生操作領域４４は周回表示領域４０の外部に配置されていてもよい。また、カラーパレット領域４３、オブジェクトプロパティ領域４４及び再生表示領域４５の配置も相互に交換可能である。
【００２５】
周回表示領域４０は全体として円形を有し、周方向に時間が規定され、時間軸の進行方向は時計回りである。すなわち、周回表示領域４０においては、照明装置７について、周方向に沿って時計回りにシーケンスが設定される。例えば、図２Ｂに示す例では、時間の進行に対して、セグメントＳ１〜Ｓｎ（図２Ｂではｎ＝８）に対応する表示色が順次表示されるようにシーケンスが設定されている。なお、セグメントＳが埋められていない領域（領域Ｎ１、Ｎ２及びＮ３）については、対応する時間において照明装置７が消灯されるものとする。図２Ｂに示す例では、セグメントＳ１〜Ｓ８に対応する表示色がそれぞれＣ１〜Ｃ８であるとすると、シーケンスは、消灯→Ｃ１→消灯→Ｃ２→消灯→Ｃ３→Ｃ４→Ｃ５→Ｃ６→Ｃ７→Ｃ８となる。なお、以降の説明において、セグメントＳ１〜Ｓｎの１つを代表して、又は全部をまとめてセグメントＳというものとする。
【００２６】
ここで、各領域の詳細を説明する前に、シーケンスの編集及び設定手順の概略を説明する。まず、表示画面４上に図２Ａの設定画面が起動される。ユーザは、タイムプロパティ領域４１において周回表示領域４０の１周の時間（タイムレンジ）を選択する。あるいは、デフォルトで設定されているタイムレンジを使用する場合にはタイムプロパティ領域４１における操作は行われない。ここで、例えば、ユーザはタイムレンジとして１時間を選択したものとする（あるいはデフォルト設定が１時間であったものとする）。これにより、１周が１時間に対応する周回表示領域４０が表示されることになる。
【００２７】
そして、ユーザはカラーパレット領域４２上の所望の表示色を示す位置から周回表示領域４０にかけてドラッグアンドドロップの操作を行う。すると、周回表示領域４０上において、デフォルト設定の中心角を有し、選択された表示色で塗りつぶされたセグメントＳ１が生成され、周回表示領域４０の所定の位置に仮配置される。この仮配置されたセグメントＳ１の始点は未設定領域の最も早い時間（最初に設定されるセグメントＳ１の場合には００ｈ００ｍ００ｓの位置）であってもよいし、ドラッグアンドドロップ操作のドロップ位置に対応する位置であってもよい。
【００２８】
ここで、ユーザは、次のセグメントＳ２を生成する操作を行ってもよいし、既に生成されたセグメントＳ１を調整する操作を行ってもよい。ここでは、ユーザはセグメントＳ１の調整を行うものとする。ユーザは、セグメントＳ１の開始半径部ｒａ及び終了半径部ｒｂの一方又は両方をドラッグすることにより、セグメントＳ１の開始時及び終了時（それによって期間長）を調整することができる。また、ユーザは、オブジェクトプロパティ領域４３に表示されるセグメントＳ１の情報をキーボード入力等によって修正することにより、セグメントＳ１の開始時及び終了時（それにより期間長）を調整することもできる。
【００２９】
また、ユーザは、セグメントＳ１の時間的要素だけでなく表示色の再調整を行うこともできる。例えば、ユーザは、オブジェクトプロパティ領域４３に表示されるセグメントＳ１の情報に含まれる各色成分の数値をキーボード入力等によって修正することにより、セグメントＳ１の表示色を変更することができる。さらに、セグメントＳにおける表示色は、単色だけでなく、フェードイン、フェードアウト、複数色のグラデーション変化等が指定されるようにしてもよい。以降、同様の作業により、ユーザはセグメントＳ２〜Ｓｎについての編集及び設定を行う。
【００３０】
セグメントＳの編集が終了すると、ユーザは、再生操作領域４４を操作して、図２Ｂの表示画面４において、シーケンス（すなわち、セグメントＳ１〜Ｓｎで設定された表示色）を再生表示領域４５上に時系列で再生させることができる。再生表示領域４５においては、セグメントＳ１〜Ｓｎに対応する表示色が、各期間長に対応する時間の長さにわたって表示される。この再生表示中に再生時間に対応して、再生操作領域４４内（再生時間表示４４４）に再生時間がデジタル表示されるとともに、周回表示領域４０において（インジケータ４０７によって）再生位置及び時間がアナログ的に表示される。
【００３１】
図２Ａ及び図２Ｂを参照して、表示画面４の各領域を詳細に説明する。
図２Ａに示すように、周回表示領域４０は、外円４００、内円４０１（必要に応じて、「中心領域４０３」ともいう）、及び外円４００と内円４０１の間の扇領域４０２を有する。扇領域４０２上に各セグメントＳが配置され、各セグメントＳは、開始半径部ｒａと、終了半径部ｒｂと、開始半径部ｒａ及び終了半径部ｒｂによって挟まれる外円４００及び内円４０１のそれぞれの弧と、によって囲まれる領域となる。
【００３２】
周回表示領域４０はまた、周回表示領域４０を全体として４分の１に分ける４本の四等分線４０４を有する。タイムレンジが１時間であるとすると、四等分線４０４によって各１５分に対応する扇領域４０２が規定されることになる。したがって、図２Ａ及び図２Ｂの例では、周回表示領域４０の中心から上方に延びる四等分線４０４は０又は１時間を示し、中心から右側に延びる四等分線４０４は１５分を示し、中心から下方に延びる四等分線４０４は３０分を示し、中心から左側に延びる四等分線４０４は４５分を示す。なお、これらの数値表記は対応する目盛部４０５にそれぞれ示される。
【００３３】
周回表示領域４０はまた、周回表示領域４０の全体又は四等分線４０４間の領域を等しい中心角で分割する補助線４０６を有していてもよい。この補助線４０６は四等分線４０４よりも目立たない線（細い線、点線等）であることが好ましい。本実施形態では、２０本の補助線４０６が表示され、周回表示領域４０の全体を２４等分する（すなわち、四等分線４０４間の領域を６等分する）。したがって、周回表示領域４０の１周が１時間に対応する場合、各補助線４０６間のなす角は１５度であり、２分３０秒に相当する。なお、図２Ｂにおいては、四等分線４０４及び補助線４０６に対してセグメントＳが上書きされているが、これらの前面／背面の関係及び透明／不透明の関係はこれに限られず、適宜変更可能である。
【００３４】
周回表示領域４０はまた、図２Ｂに示すように、周回表示領域４０の中心に対して時計回りに回転するインジケータ４０７を備える。インジケータ４０７は、上述した再生表示領域４５においてシーケンスが再生される際に、その再生時間に対応する位置を指すものである（なお、インジケータ４０７は再生表示時以外では表示されなくてもよい）。インジケータ４０７は、周回表示領域４０の中心点から外周向きに延びる線分の一部であればよい。したがって、図２Ｂではインジケータ４０７は扇領域４０２に含まれているが、扇領域４０２から外周側又は内周側に突出していてもよい。
【００３５】
また、インジケータ４０７は、インジケータ４０７が重なるセグメントＳの色に対して異なる色となるように制御されることが視認性の観点から好ましい。例えば、インジケータ４０７の色は、それが重なるセグメントＳの色の反転色又は補色となるようにしてもよいし、予め設定された濃淡２色のうちの一方が適宜選択されるようにしてもよい。
【００３６】
また、インジケータ４０７は、外円４００上、内円４０１上、外円４００の外側付近、又は内円４０１の内側付近を周回移動する表示物（アイコン）であってもよい。あるいは、インジケータ４０７は、外円４００の外側に同心配置された可変色の円弧であってもよい。具体的には、再生済み時間に対応する弧の部分と、未再生時間に対応する弧の部分とが異なる色となるようにしてもよい（すなわち、現在時間が２つの色の境界位置に対応し、その境界部が時計回りに進んでいくようにしてもよい）。更に、インジケータ４０７は、上記に示した種々の形態のインジケータの組合せであってもよい。
【００３７】
タイムプロパティ領域４１は、ユーザに、周回表示領域４０の時間的要素を決定させるための表示領域である。タイムプロパティ領域４１は、タイムレンジ候補表示４１０、タイムシフトバー４１１、並びに周回表示領域４０左上付近の操作ボタン４１２及び４１３を有する。
【００３８】
タイムレンジ候補表示４１０は、周回表示領域４０の１周の時間に対応する選択可能なタイムレンジの候補を表示する。図２Ａ及び図２Ｂに示すように、タイムレンジの候補は、例えば、１２秒（１２ｓ）、１分（１ｍ）、３分（３ｍ）、１２分（１２ｍ）、３０分（３０ｍ）、１時間（１ｈ）、３時間（３ｈ）、６時間（６ｈ）、１２時間（１２ｈ）、及び２４時間（２４ｈ）を含む。これらは、候補が「分」の場合には６０の約数であることが好ましく、「時間」の場合には２４の約数であることが好ましい。これにより、円の幾何学的な性質に起因して、ユーザは四等分線４０４若しくは補助線４０６に対応する時間又は各セグメントＳの期間長を比較的容易な暗算又は目視で把握することができ、周回表示領域４０の直感的な編集を促進することができる。
【００３９】
さらに、タイムレンジが１分であれば、一般的なユーザが見慣れているアナログ時計の秒針又はアナログ式のストップウォッチと同様の感覚で周回表示領域４０の編集作業を行うことできる。また、タイムレンジが１時間であれば、一般的なユーザが見慣れているアナログ時計の分針と同様の感覚で周回表示領域４０の編集作業を行うことできる。また更に、タイムレンジが１２時間であれば、一般的なユーザが見慣れているアナログ時計の時針と同様の感覚で周回表示領域４０の編集作業を行うことできる。したがって、タイムレンジが１分、１時間又は１２時間の場合には、補助線４０６が周回表示領域４０を１２等分する形態とすると、ユーザはアナログ時計を扱うのと同様の感覚で周回表示領域４０の編集を行うことができ、より直感的な編集作業を促進することができる。
【００４０】
別の見方をすると、周回表示領域４０が円形であることにより、各セグメントＳ又はインジケータ４０７のおおよその位置（特に、４等分の位置、８等分の位置、１２等分の位置など）を、少ない補助線又は目盛でユーザに把握させることができる。すなわち、ユーザは、頻繁に補助線を数えたり目盛を読んだりすることなく、直感的に周回表示領域４０の編集作業を行うことができる。特に、タイムレンジが１分、１時間又は１２時間の場合には、補助線又は目盛部がなかったとしても、ユーザはアナログ時計を見る感覚で各セグメントＳ又はインジケータ４０７のおおよその位置を把握し得る。
【００４１】
タイムシフトバー４１１は、周回表示領域４０上に表示されるシーケンスの開始時間及び終了時間をシフトさせるためのスライダである。例えば、ユーザのマウス操作等によってタイムシフトバー４１１が１単位下方に移動されることにより、周回表示領域４０の１周に対する時間の４分の１が、時間的に後方にシフトされる。具体的には、図２Ａ及び図２Ｂに示すように、周回表示領域４０の開始時間が００ｈ００ｍ００ｓ（０分）であり、終了時間が０１ｈ００ｍ００ｓ（１時間）である場合、タイムシフトバー４１１が１単位下方に移動されると、上記開始時間は００ｈ１５ｍ００ｓ（１５分）となり、終了時間は０１ｈ１５ｍ００ｓ（１時間１５分）となる。同様に、タイムシフトバー４１１が下方に更に１単位移動されると、開示時間及び終了時間が更に１５分進み、逆に、上方に１単位移動されると開示時間及び終了時間が１５分戻る。これにより、シーケンスの長さがタイムレンジを超える場合にもその編集作業を容易に行うことができる。
【００４２】
操作ボタン４１２は、周回表示領域４０の表示を１周分進めるための操作ボタンである。例えば、図２Ａに示すように、タイムレンジが１時間である場合に、００ｈ００ｍ００ｓから開始する周回表示領域４０に対して操作ボタン４１２がクリックされると、０１ｈ００ｍ００ｓから開始する周回表示領域４０に表示が移る（ジャンプする）。更に、操作ボタン４１２がクリックされると、０２ｈ００ｍ００ｓから開始する周回表示領域４０に表示が移る（ジャンプする）。
【００４３】
操作ボタン４１３は、周回表示領域４０の表示を１周分戻すための操作ボタンである。例えば、タイムレンジが１時間である場合に、０１ｈ００ｍ００ｓから開始する周回表示領域４０に対して操作ボタン４１２がクリックされると、操作ボタン４１３がクリックされると、００ｈ００ｍ００ｓから開始する周回表示領域４０に表示が移る（ジャンプする）。なお、００ｈ００ｍ００ｓから開始する周回表示領域４０に対して操作ボタン４１３がクリックされた場合、表示が変わらないようにしてもよいし、最終セグメントを示す周回表示領域４０が表示されるようにしてもよい。
【００４４】
カラーパレット領域４２は、カラーパレット４２０、成分値表示４２１、及びサブディスプレイ４２２を有し、ユーザに所望の表示色を選択させる領域である。
【００４５】
カラーパレット４２０は、赤成分、緑成分及び青成分の配合に応じた色を円内にグラデーション表示し、ユーザに表示色の選択肢を提供する。具体的には、円の上部付近は赤色が支配的な色が配置され、右下付近には緑色が支配的な色が配置され、左下付近には青色が支配的な色が配置され、円の中心付近の色は白となる。表示色を選択する状況において、ユーザはカラーパレット４２０上から所望の色を選択することができる。なお、本実施形態では、カラーパレット４２０は、色がグラデーション表示された円形のパレットであるものとするが、これに限られず、例えば５０色程度の色がマトリクス状に表示された矩形のパレットであってもよい。
【００４６】
成分値表示４２１は、カラーパレット４２０上の（ユーザのマウス操作等による）ポインタが示す色の赤成分（Ｒ）、緑成分（Ｇ）及び青成分（Ｂ）の各数値を０〜２５５の範囲で示す。また逆に、成分表示領域４２１において、ユーザが各成分値を０〜２５５の範囲で指定することによって所望の表示色を選択することができるようにしてもよい。
【００４７】
サブディスプレイ４２２は、ユーザがカラーパレット４２０から選択し、又は成分値表示４２１において指定しようとする色を表示する。
【００４８】
オブジェクトプロパティ領域４３は、設定対象（編集対象）となっているセグメントＳに関する情報を表示する領域である。例えば、設定対象となっているセグメントＳの開始時間及び終了時間、それらによって決まる期間長、選択された表示色のＲＧＢ成分値等が表示される。また、再生表示領域４５による再生表示が行われている間に、再生表示に対応する時間、各色成分値等がオブジェクトプロパティ領域４３に表示されるようにしてもよい。
【００４９】
再生操作領域４４は、操作ボタン４４０〜４４３、再生時間表示４４４、選択時間表示４４５を有する。再生操作領域４４は、ユーザに再生表示に関する操作を行わせるための表示領域である。
【００５０】
操作ボタン４４０は再生／一時停止ボタンである。操作ボタン４４０がクリックされると、後述するシーケンスの再生表示が起動される。すなわち、ユーザが操作ボタン４４０をクリックすると、それまでに設定されたシーケンス、すなわち周回表示領域４０上のセグメントＳの表示色が再生表示領域４５において時系列で再生される。操作ボタン４４０によって開始されると、操作ボタンは一時停止ボタンの表示（並列配置された２本の縦長の長方形等）に変更され、その状態で操作ボタン４４０が再度クリックされるとシーケンスの再生表示が一時停止する。操作ボタン４４１は、再生中又は一時停止中の再生処理を先頭に戻すためのボタンである。
【００５１】
操作ボタン４４２（Ａ）及び４４３（Ｂ）は、再生表示に関するシーケンスの開始時間及び終了時間をそれぞれ選択するための操作ボタンである。再生表示は、デフォルト設定として、設定されたシーケンスの開始時間から終了時間まで実行されることが想定されているが、操作ボタン４４２（Ａ）及び４４３（Ｂ）によって再生開始時間及び再生終了時間をそれぞれ指定することができる。例えば、図２Ｂにおいて、セグメントＳ２〜Ｓ４の変化だけを再生したい場合には、ボタン４４２によりセグメントＳ２の開始時間を再生開始時間として指定し、ボタン４４３によりセグメントＳ４の終了時間を再生終了時間として指定することができる。例えば、ボタン４４２をクリックした後に周回表示領域４０上の開始時間に対応する位置をクリックし、ボタン４４３をクリックした後に周回表示領域４０上の終了時間に対応する位置をクリックして、再生期間を指定する構成とすることができる。
【００５２】
再生時間表示４４４は、再生表示の経過時間をデジタル時計表示により示す領域である。この再生表示の経過時間とは、インジケータ４０７が示す時間であってもよいし、再生表示領域４５において再生表示が開始されてからの経過時間であってもよい。例えば、シーケンスの再生がセグメントＳ２から行われる場合に、再生時間表示４４４には、周回表示領域４０の開始時（００ｈ００ｍ００ｓ）からの時間が表示されるようにしてもよいし、セグメントＳ２の開示時からの時間が表示されるようにしてもよい。図２Ｂに示す例においては、再生時間表示４４４には、インジケータ４０７が指示する時間、すなわち、周回表示領域４０の開始時からのシーケンスの経過時間（本例では７分１９秒２）が表示される。
【００５３】
選択時間表示４４５は、シーケンス編集作業中に、例えば、ユーザのマウス操作等により動くポインタが指す周回表示領域４０上の位置に対応する時間が表示される。なお、このポインタによって指示される時間がオブジェクトプロパティ領域４３に表示されるようにしてもよい。
【００５４】
上記のように、再生操作領域４４が中心領域４０３に配置されるので、表示画面４における表示スペース効率が向上するとともに、ユーザにおける操作性が高まる。再生時間表示４４４又は選択時間表示４４５が中心領域４０３に配置されることにより、シーケンス設定装置１の操作における時間的要素に関して、周回表示領域４０によるアナログ的な時間表示と再生時間表示４４４又は選択時間表示４４５によるデジタル的な時間表示を両立して動作の視認性を高めることができる。特に、シーケンス再生中のインジケータ４０７と再生時間表示４４４の組合せは、アナログ表示とデジタル表示が組み合わされた時計のように高い視認性を与える。
【００５５】
再生表示領域４５は、再生表示４５０、成分値表示４５１、及び再生リセットボタン４５２（図面においては、Simulate Resetを略して「Sim Reset」と表記されている）を有する。
【００５６】
上述したように、再生表示４５０において、シーケンス、すなわち周回表示領域４０上の表示色の時間的遷移が再生される。成分値表示４５１は、再生表示４５０で再生されている表示色のＲＧＢ成分値を０〜２５５の値で表示する。インジケータ４０７が通過中のセグメントＳ１の表示色が再生表示４５０に表示されるとともに、そのＲＧＢ成分が成分値表示４５１に示される。図２Ｂに示す例においては、インジケータ４０７が通過しているセグメントＳ１はオレンジであり、その色が再生表示４５０に表示されるとともに、そのＲＧＢ成分（Ｒ：２２９、Ｇ：６１、Ｂ：９）が成分値表示４５１に表示される。
【００５７】
再生リセットボタン４５２は、それがクリックされることによりシーケンスの再生がリセットされる。具体的には、ユーザが操作ボタン４４０によって再生を一時停止させた後に再生リセットボタン４５２をクリックすると、再生表示４５０がデフォルト色（例えば、黒）となり、成分値表示４５１の各値が０となり、再生時間表示４４４の時間が初期値（０：００．０）に戻る。ここで、インジケータ４０７は開始位置（００ｈ００ｍ００ｓの位置）に配置されてもよいし、消去されてもよい。また、シーケンス再生中に、一時停止中でなくても再生リセットボタン４５２がクリックされた場合にはシーケンスの再生がリセットされるようにしてもよい。
【００５８】
図１に戻り、シーケンス設定装置１、特にＣＰＵ１０の各部について説明する。
周回表示編集部１００は、周回表示領域４０を表示画面４に出力させるとともに、周回表示領域４０の各編集処理を行うよう機能する。例えば、周回表示編集部１００は、ユーザ入力部２からの入力に応じて各セグメントＳの中心角（開始半径部ｒａと終了半径部ｒｂのなす角）を調整する。また、周回表示編集部１００は、シーケンスの再生表示中に、再生時間に対応してインジケータ４０７を周回表示領域４０の中心部に対して回転させる。
【００５９】
タイムレンジ設定部１０１は、周回表示領域４０の１周の時間に対応するタイムレンジを決定させるためのタイムプロパティ領域４１（特に、タイムレンジ候補表示４１０）を表示画面４に出力させる。なお、周回表示編集部１００は、タイムプロパティ領域４１において選択されたタイムレンジに対応して各セグメントＳの中心角を決定することができる。これにより、あらゆるタイムレンジに対してセグメントＳが適切に配置される。
【００６０】
セグメント生成部１０２は、ユーザ入力部２からの入力に応じて、カラーパレット領域４２（場合によってはオブジェクトプロパティ領域４３）から表示色を決定し、決定された表示色を各セグメントＳに割り付ける。これにより、各セグメントＳが生成される。
【００６１】
再生操作処理部１０３は、再生操作領域４４を表示画面４に出力させるとともに、再生操作領域４４上におけるユーザ操作を受け付ける。また、再生操作処理部１０３は、上記のように表示色の編集設定に関する時間を選択時間表示４４５に表示させ、シーケンスの再生表示に関する時間を再生時間表示４４４に表示させる。
【００６２】
再生表示出力部１０４は、再生操作処理部１０３で受け付けたユーザ操作に応じて、周回表示領域４０上に割り付けられた表示色のシーケンスを再生表示領域４５に時系列で再生表示させる。
【００６３】
上記の各部によって設定されたシーケンスはメモリ１２に記憶される。シーケンスの現実の実行時に、照明制御部１３が、メモリ１２に記憶された上記シーケンスのデータを制御装置６に送信し、各照明装置７は割り当てられた発光色の変化を実行する。あるいは、制御装置６にシーケンスが記憶され、制御装置６の起動により照明装置７がシーケンスを実行するように構成される。
【００６４】
図３に、シーケンス設定装置１におけるシーケンスの編集及び設定に関するフローチャートを示す。まず、ステップＳ５において、デフォルト設定の表示画面４が起動される（図２Ａ参照）。
【００６５】
ステップＳ１０において、タイムレンジ設定部１０１はユーザ入力に応じてタイムレンジを決定し、周回表示編集部１００が周回表示領域４０の表示を決定されたタイムレンジに対応させる。なお、デフォルト設定のタイムレンジが使用される場合には、ステップＳ１０は省略される。図２Ａに示す例では、タイムレンジとして１時間が選択される。
【００６６】
ステップＳ１５において、セグメント生成部１０２が、ユーザ入力に応じて、カラーパレット領域４２から表示色を決定し、ユーザのドラッグアンドドロップ操作に応じて、決定された表示色をセグメントＳ１に割り付ける。これによりセグメントＳ１が生成される。なお、セグメントＳ１の配置は上述した通り、デフォルト設定に基づいていてもよいし、ドラッグアンドドロップ操作のドロップ位置に対応する位置であってもよい。また、セグメントＳ１のサイズはデフォルト設定されていればよい。
【００６７】
ステップＳ２０において、周回表示編集部１００が、ユーザ入力に応じてセグメントＳ１の位置及び中心角（すなわち、開始半径部ｒａ及び終了半径部ｒｂの位置）を調整する。また、ここで表示色の再調整がなされてもよい。なお、ステップＳ１５によって複数のセグメントＳ１〜Ｓｎが「とりあえず」ドロップされた後に、各セグメントＳｋ（１≦ｋ≦ｎ）についてステップＳ２０が実行されてもよい。なお、各セグメントはコピーアンドペーストが可能であり、これにより、同一表示色又は同一期間長のセグメントＳが容易に生成可能となる。
【００６８】
なお、ステップＳ１５の前後又はステップＳ２０の前後において、タイムレンジが変更された場合には、周回表示編集部１００は、新たに選択されたタイムレンジに対応して各セグメントＳの中心角を決定する。
【００６９】
全てのセグメントＳの設定が完了していない場合（ステップＳ２５、ＮＯ）、処理はステップＳ１５に戻り、ステップＳ１５及びステップＳ２０が繰り返される。一方、全てのセグメントＳの設定が完了した場合（ステップＳ２５、ＹＥＳ）、処理はステップＳ３０に進む。
【００７０】
ステップＳ３０において、再生操作処理部１０３が再生操作領域４４上のユーザ操作を受け付けると（ステップＳ３０、ＹＥＳ）、ステップＳ３５において、再生表示出力部１０４が、周回表示領域４０上のセグメントＳに割り付けられた表示色を再生表示領域４５に時系列で再生表示させる。
【００７１】
図２Ｂに示す例では、１時間のタイムレンジの周回表示領域４０に対してセグメントＳ１〜Ｓ８が設定されている。したがって、シーケンスは、消灯（２分半）→Ｃ１（５分）→消灯（２分半）→Ｃ２（１０分半）→消灯（５分）→Ｃ３（５分）→Ｃ４（５分）→Ｃ５（５分）→Ｃ６（１０分）→Ｃ７（２分半）→Ｃ８（５分）となる。
【００７２】
ステップＳ３０において、再生操作処理部１０３が、再生表示に関連する時間を再生時間表示４４４に表示するとともに、周回表示編集部１００が、再生時間に対応してインジケータ４０７を周回表示領域４０の中心部に対して回転させる。  
【００７３】
なお、時間のスケールは短縮又は伸長することができる。例えば、シーケンスの全体が１時間である場合、２０倍速により全体が３分で再生されるようにしてもよいし、全体が１２秒である場合、５分の１倍速により全体が１分で再生されるようにしてもよい。あるいは、シーケンス全体の再生時間が固定の時間（例えば、１分）にデフォルト設定され、この再生時間に合わせて再生速度が決定されるようにしてもよい。
【００７４】
以上のように、本実施形態のシーケンス設定装置１によると、周方向に時間が規定された円形状の周回表示領域４０が表示画面４に出力され、ユーザ入力に応じて決定されたシーケンスの表示色が、周回表示領域４０を周方向に分割したセグメントＳに割り付けられる。これにより、シーケンス全体に対する各表示色の関係の直感的な把握が促進される。したがって、シーケンスの設定に関して、ユーザの直感的なシーケンス編集及び設定が可能となる。
【００７５】
＜第２の実施形態＞
上記第１の実施形態では周回表示領域４０が真円である構成を示したが、本実施形態では周回表示領域４０が楕円である構成を示す。なお、本実施形態と第１の実施形態の相違は、周回表示領域４０の形状だけであるので、その他の構成の詳細な説明を省略する。
【００７６】
図４Ａ及び図４Ｂに本実施形態のシーケンス設定装置１における表示画面４を示す。図４Ａはシーケンス設定前の表示画面４を示し、図４Ｂはシーケンス再生時の表示画面４を示す。図４Ａに示すように、周回表示領域４０は楕円形の外円４００及び内円４０１（すなわち楕円形の中心領域４０３）を有し、したがって、扇領域４０２は楕円の一部を切り取った形状となる。
【００７７】
図４Ｂに示すように、本実施形態においても第１の実施形態と同様に、各セグメントＳの時間要素（開始時間、終了時間及び期間長）はセグメントＳの中心角によって決まるものとする。すなわち、セグメントＳ１は、開始半径部ｒａと、終了半径部ｒｂと、開始半径部ｒａ及び終了半径部ｒｂによって挟まれる外円４００及び内円４０１のそれぞれの弧と、によって囲まれる領域となり、他のセグメントＳについても同様である。
【００７８】
再生表示中のインジケータ４０７は、第１の実施形態と同様に、楕円の中心に対して回転するように移動する（すなわち、本実施形態のインジケータ４０７の延長線は外円４００の楕円中心を通る）。なお、図４Ｂの例示においては、各セグメントＳ１〜Ｓ３の色をそれぞれＣ１〜Ｃ３とすると、発光色のシーケンスは、Ｃ１（１５分）→Ｃ２（１５分）→消灯（１２分半）→Ｃ３（５分）→消灯（１２分半）となる。
【００７９】
なお、周回表示領域４０の楕円形状は種々の態様に変形可能である。例えば、外円４００の長半径と短半径の比と内円４０１の長半径と短半径の比とは同じであってもよいし、異なっていてもよい。さらに、外円４００が楕円であり、内円４０１が真円であってもよいし、外円４００が真円であり、内円４０１が楕円であってもよい。また、周回表示領域４０の形状として、あたかも周回表示領域４０が手前から奥方向に傾斜しているかのように遠近感を持たせて描写された楕円が採用されてもよい。この場合、扇形セグメントの幅は、その期間長が同じであれば楕円上方よりも楕円下方において広くなる。更に、周回表示領域４０の基準点（００ｈ００ｍ００ｓ）はその上部ではなく下部（時計における６時の位置）であってもよい。また、周回表示領域４０の配置スペースが縦長となる場合には、周回表示領域４０（特に、外円４００）は縦長の楕円であってもよい。
【００８０】
上記のように、周回表示領域４０が楕円の場合には以下の有利な効果が得られる。まず、楕円の縦横の比率を適宜調整することにより、種々のタイプの表示画面４に対する配置の柔軟性が得られるとともに、表示スペース効率を向上することができる。また、特に横長の楕円は人間の目の視野にフィットし易く、ユーザにおける周回表示領域４０乃至は表示画面４の視認性が向上する。さらに、横長の楕円形の周回表示領域４０はワイド画面に対する収まりがよい。このように、楕円形の周回表示領域４０は高い視認性とスペース効率を両立できる。
【００８１】
なお、図４においては各セグメントの期間長（すなわち時間軸方向のピッチ）がセグメントの中心角によって規定される構成としたが、各セグメントの弧の長さによって規定されるようにしてもよい。すなわち、同じ弧の長さのセグメントが同じ期間長を表すように時間軸が設定されていてもよい。この場合、同じ期間長のセグメントであれば、縦方向に拡がる扇領域の中心角よりも横方向に拡がる扇領域の中心角の方が小さくなる。
【００８２】
＜第１及び第２の実施形態の変形例＞
上記第１及び第２の実施形態は、以下に示すように種々の態様に変形可能である。
【００８３】
（１）各領域の配置の変形
上記各実施形態においては、表示画面４の左右の領域にタイムプロパティ領域４１、カラーパレット領域４２、オブジェクトプロパティ領域４３及び再生表示領域４５が配置され、中央部に周回表示領域４０及び再生操作領域４４が表示される構成を示したが、各領域の配置はこれに限られない。例えば、図５に示すように、表示画面４の上段に、左から、オブジェクトプロパティ領域４３、カラーパレット領域４２及び再生表示領域４５が配置され、下段に周回表示領域４０、タイムプロパティ領域４１及び再生操作領域４４が配置されるようにしてもよい。このような配置においては、楕円の周回表示領域４０がスペース効率上有用となる。
【００８４】
なお、図５においては、タイムプロパティ領域４１のタイムレンジ候補表示４１０はスライダからなる。この場合、スライダが１単位スライドされるごとに、候補となる（それにより決定される）タイムレンジが、１２秒→１分→３分→１２分→３０→１時間→３時間→６時間→１２時間→２４時間のように切り替わる（図５では、１時間「１ｈ」が選択されている）。
【００８５】
（２）内円４０１の有無
上記各実施形態においては、周回表示領域４０に内円４０１（中心領域４０３）が形成される構成を示したが、図６Ａ（円形の周回表示領域４０）及び図６Ｂ（楕円の周回表示領域４０）に示すように、内円がない構成であってもよい。この形態においては、周回表示領域４０は円グラフのような外観となる。この場合、セグメントＳ（不図示）は、開始半径部と、終了半径部と、外円４００の一部である円弧とによって画定される。なお、再生操作領域４４は、周回表示領域４０の外部領域に配置されてもよいし、周回表示領域４０の中央付近に上書きされてもよい。
【００８６】
（３）中心領域４０３の活用に関する変形
上記各実施形態においては、中心領域４０３に再生操作領域４４が配置される構成を示したが、再生時間表示４４４のみ、又は操作ボタン４４０〜４４３のみが配置されていてもよい。また、中心領域４０３にカラーパレット領域４２（特に、カラーパレット４２０）、オブジェクトプロパティ領域４３、又は再生表示領域４５（特に、再生表示４５０）が配置されていてもよい。この構成によっても、表示画面４における表示スペース効率が向上する。
【００８７】
（４）周回表示領域４０の動的形状変形
上記各実施形態においては、シーケンスの編集設定時から再生表示時にわたって同一形状の周回表示領域４０が表示される構成を示したが、周回表示領域４０は動的に形状変化するようにしてもよい。例えば、その編集設定時においては円であり、再生表示時においては楕円となるようにしてもよいし、逆に、編集設定時においては楕円であり、再生表示時においては円となるようにしてもよい。すなわち、編集設定時における視認性と再生表示時における視認性とを考慮して上記のように形状が変化するようにしてもよい。また、単に、現状が編集用画面（図２Ａ、図４Ａ）なのか、再生用画面（図２Ｂ、図４Ｂ）なのかをユーザが周回表示領域４０を見て判別できるように上記の形状変化が行われるようにしてもよい。
【００８８】
（５）周回表示領域４０の動的サイズ変形
上記各実施形態においては、シーケンスの設定編集時から再生表示時にわたって、同一サイズの周回表示領域４０が表示される構成を示したが、周回表示領域４０は動的にサイズ変更されてもよい。例えば、周回表示領域４０は、編集設定時においては拡大され、再生表示時においては縮小されるようにしてもよい。そして、再生表示時においては、周回表示領域４０が縮小される代わりに再生表示領域４５が拡大されるようにしてもよい。このような動的サイズ変更によっても視認性が向上し得る。
【００８９】
（６）インジケータ４０７とセグメントＳの相対関係に関する変形
上記各実施形態においては、シーケンス再生時に、静止したセグメントＳ１〜Ｓｎ上をインジケータ４０７が時計回りに通過していく構成を示したが、セグメントＳとインジケータ４０７は相対的に回転移動されるようにすればよい。例えば、静止したインジケータ４０７に対してセグメントＳ１〜Ｓｎが移動する構成としてもよい。具体的には、インジケータ４０７が最上位置（時計の０時の位置）に固定され、インジケータ４０７上（見た目にはインジケータ４０７の下）をセグメントＳ１〜Ｓｎが順次通過する構成、すなわち、扇領域４０２が反時計回りに回転する構成としてもよい。
【００９０】
（７）その他注記事項
本明細書において、「円」又は「楕円」とは、本発明の趣旨を逸脱しない範囲で円又は楕円を若干変形したもの、すなわち実質的に円又は楕円といえるものも含む。例えば、「円」又は「楕円」の周回表示領域４０は、外円４００又は内円４０１の弧が完全な円弧又は楕円弧ではなく装飾的に変形されたもの、補助線４０６の本数と同程度の数の頂点を有する多角形又はその角がスムージングされたもの等も含む。あるいは、「円」又は「楕円」の周回表示領域４０は、扇領域４０２が半径方向にグラデーション表示されて外円４００の外側領域（すなわち、背景）と同化したもの（すなわち、外円４００の弧が実質的に表示されないもの）又は中心領域４０３と同化したもの（すなわち内円４０１の弧が実質的に表示されないもの）も含む。
【００９１】
＜第３の実施形態＞
第１及び第２の実施形態においては、シーケンス設定装置１と照明装置７が一対一で対応する構成（スタンドアロンタイプ）を示したが、本実施形態ではシーケンス設定装置１によって複数の照明装置に対するシーケンスが設定される構成（コントローラタイプ）を示す。
【００９２】
図７に、本実施形態によるシーケンスを設定するためのシーケンス設定装置１及びシーケンス設定システム５のブロック図を示す。第１の実施形態と同様に、シーケンス設定システム５はシーケンス設定装置１、ユーザ入力部２及び表示出力部３を有し、シーケンス設定装置１はユーザ入力部２及び表示出力部３に接続され、これらはバス等によって相互に通信可能な態様で接続される。
【００９３】
シーケンス設定装置１が制御装置（通信装置）６を介してＬＥＤ照明器具等の複数の照明装置７−１〜７−ｘ（本例ではｘ＝８）に通信接続されると、照明装置７−１〜７−ｘはシーケンス設定装置１で設定されたシーケンスに従った発光色によって発光するようそれぞれ制御される。制御装置６から照明装置７−１〜７−ｘへの発光色制御のための信号は、例えば、ＤＭＸ規格（ＥＩＡ−４８５に基づくＤＭＸ５１２−Ａ等）に基づいた信号であればよい。なお、以降の説明において、照明装置７−１〜７−ｘの１つを代表して、又は全部をまとめて照明装置７というものとする。
【００９４】
第１及び第２の実施形態と同様に、ユーザ入力部２は、マウス、キーボード、ジョイスティック、表示出力部３上のタッチパネルであればよい。表示出力部３は液晶表示ディスプレイ等であればよく、表示画面４を有する。そして、シーケンス設定装置１は、ＣＰＵ１０、入出力インターフェイス（Ｉ／Ｆ）１１、メモリ１２及び照明制御部１３を備える。なお、照明制御部１３は制御装置６に含まれていてもよい。
【００９５】
ＣＰＵ１０は、周回表示編集部１００、タイムレンジ設定部１０１、セグメント生成部１０２、再生操作処理部１０３、再生表示出力部１０４、グループ一覧表示部１０５及びグループ選択部１０６を備え、これらはバスＢによって相互に通信可能な態様で接続される。なお、第１の実施形態の構成に対応する構成には同様の符号を付し、その詳細な説明を省略する。グループ一覧表示部１０５及びグループ選択部１０６については後述する。
【００９６】
図８に、表示出力部３におけるホーム画面４Ａを示す。ホーム画面４Ａには、複数の周回表示領域４０−１〜４０−ｍ（本実施形態ではｍ＝９）及び１つの再生操作領域４４Ａが表示される。本実施形態では、９個の楕円形の周回表示領域４０を示すが、周回表示領域４０の数はこれに限られず、また周回表示領域４０は真円であってもよい。また更に、複数の周回表示領域４０の配置は行列状に整列される構成に限られず、千鳥配置等が採用されてもよい。この千鳥配置により、ホーム画面４Ａ上の縦方向のスペース効率が高まる。なお、以降の説明において、周回表示領域４０−１〜４０−ｍの１つを代表して、又は全部をまとめて周回表示領域４０というものとする。
【００９７】
周回表示領域４０の各々は、照明装置７のグルーピングに対応し、周回表示領域４０の中心領域には照明装置７のグループ名が表示される。例えば、周回表示領域４０−１のグループＡが照明装置７−１に対応し、周回表示領域４０−２のグループＢが照明装置７−２に対応し、周回表示領域４０−３のグループＣが照明装置７−３に対応する。そして、周回表示領域４０−４のグループＤが照明装置７−１〜７−３に対応し、周回表示領域４０−５のグループＥが照明装置７−４〜７−９に対応する。なお、グループＤについては、照明装置７−１〜７−３が同時に同じシーケンスを実行するように設定され、グループＥについては、照明装置７−４〜７−９が同時に同じシーケンスを実行するように設定される。なお、周回表示領域４０−６以降は何も設定されていない。
【００９８】
グループ一覧表示部１０５は、各々が照明装置７のグループに対応する複数の周回表示領域４０をホーム画面４Ａ上に表示させる。そして、グループ選択部１０６は、ホーム画面４Ａ上の複数の周回表示領域４０から、ユーザ入力に基づいて１つの周回表示領域４０を周回表示編集部１００による編集対象として選択する。すなわち、編集対象となった周回表示領域４０について第１の実施形態の図２Ａ及び図２Ｂ又は第２の実施形態の図４Ａ及び図４Ｂに示す表示画面４が構成される。この周回表示領域４０についてのシーケンスの編集及び設定の態様は第１又は第２の実施形態と同様である。
【００９９】
表示画面４において、１つの周回表示領域４０のシーケンスの設定が完了すると、再び図８のホーム画面４Ａが出力される。ユーザは、各周回表示領域４０について、図２Ａ及び図２Ｂ又は図４Ａ及び図４Ｂの表示画面４において編集及び設定作業を行う。なお、図８は、いずれの周回表示領域４０においてもセグメントが設定されていない初期状態を示すが、各周回表示領域４０のシーケンス設定が終了するごとに、その周回表示領域４０には設定済みのセグメントＳが表示されるものとする。すなわち、グループＡ〜Ｅのシーケンス設定が完了した時点における表示画面４Ａにおいては、周回表示領域４０−１〜４０−５に設定済みセグメントが配置される。
【０１００】
各周回表示領域４０に対する編集設定作業が完了すると、ユーザはホーム画面４Ａの再生操作領域４４Ａの操作により、全グループに対するシーケンスの再生表示を行うことができる。例えば、ユーザが再生操作領域４４Ａの再生／一時停止ボタン４４０Ａをクリックすると、図９のような再生表示画面４Ｂ（再生表示領域４５）が起動される。再生表示画面４Ｂはホーム画面４Ａの前面に表示されればよい。また、再生操作領域４４Ａは操作ボタン４４１Ａ及び再生時間表示４４４Ａを備え、これらは実施形態１及び２において示した再生操作領域４４の操作ボタン４４１及び再生時間表示４４４と実質的に同様の機能を有する。再生表示画面４５においては、各照明装置７が実際の配置を模擬して配置される。例えば、図９に示す例では、照明装置７−１〜７−８が円状に配列される。そして、上記の編集設定作業によってグループごとに設定されたシーケンスが、各照明装置７について同じ時間軸で時系列に実行される。
【０１０１】
なお、図８のホーム画面４Ａにおける再生操作領域４４Ａには、図９の再生表示画面４Ｂを起動するボタンのみを設け、図９に示す再生表示画面４Ｂ上に再生操作領域４４Ａを設けてもよい。シーケンスの現実の実行時には、照明制御部１３は、メモリ１２に記憶された上記シーケンスのデータを制御装置６に送信し、各照明装置７は割り当てられた発光色の変化を実行する。あるいは、制御装置６にシーケンスが記憶され、制御装置６の起動により照明装置７がシーケンスを実行するように構成される。
【０１０２】
＜プログラム等＞
なお、上述した各実施形態におけるシーケンス設定装置１（ＣＰＵ１０）を実現する各構成要素、及び処理の各ステップは、メモリ１２のＲＡＭ又はＲＯＭなどに記憶されたプログラムが動作することによって実現される。
【０１０３】
また、本発明は、上記各実施形態の機能を実現するソフトウェアのプログラム（図３に示すフローチャートに対応したプログラム）が、シーケンス設定装置１（ＣＰＵ１０）に直接に、又は遠隔から供給される場合も含む。したがって、本発明の機能処理を実現するために、シーケンス設定装置１（ＣＰＵ１０）にインストールされるプログラムコード自体も本発明に含まれる。すなわち、本発明には、本発明の機能処理を実現するためのコンピュータプログラムも含まれる。そのプログラムは、コンピュータを、上記の周回表示編集部１００、タイムレンジ設定部１０１、セグメント生成部１０２、再生操作処理部１０３、再生表示出力部１０４、グループ一覧表示部１０５及びグループ選択部１０６（並びに必要に応じて照明制御部１３）の全部又は一部として機能させることができる。このように、本発明は、上記実施形態に示したような作用効果をソフトウェアの導入によって実現できるので、シーケンス設定装置１の導入容易性を向上することができる。
【０１０４】
上記プログラムがインターネットからダウンロードされるようにしてもよい。この場合、ブラウザ機能によってインターネットのホームページに接続されたシーケンス設定装置１に、そのホームページから上記コンピュータプログラム又は圧縮され自動インストール機能を含むファイルがハードディスク等にダウンロードされる。
【０１０５】
上記プログラムを記憶したコンピュータ可読記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【符号の説明】
【０１０６】
１  シーケンス設定装置
２  ユーザ入力部
３  表示出力部
４  表示画面
５  シーケンス設定システム
１０  ＣＰＵ
４０、４０−１〜４０−ｍ  周回表示領域
４１  タイムプロパティ領域
４２  カラーパレット領域
４３  オブジェクトプロパティ領域
４４  再生操作領域
４５  再生表示領域
１００  周回表示編集部
１０１  タイムレンジ設定部
１０２  セグメント生成部
１０３  再生操作処理部
１０４  再生表示出力部
１０５  グループ一覧表示部
１０６  グループ選択部
４００  外円
４０１  内円
４０２  扇領域
４０３  中心領域
４０４  四等分線
４０５  目盛部
４０６  補助線
４０７  インジケータ
Ｓ、Ｓ１〜Ｓｎ  セグメント
【図１】
2015225775.tif 000003
【図２Ａ】
2015225775.tif 000004
【図２Ｂ】
2015225775.tif 000005
【図３】
2015225775.tif 000006
【図４Ａ】
2015225775.tif 000007
【図４Ｂ】
2015225775.tif 000008
【図５】
2015225775.tif 000009
【図６Ａ】
2015225775.tif 000010
【図６Ｂ】
2015225775.tif 000011
【図７】
2015225775.tif 000012
【図８】
2015225775.tif 000013
【図９】
2015225775.tif 000014
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
ユーザ入力部及び表示出力部に接続され、照明演出シーケンスを設定するためのシーケンス設定装置であって、
周方向に時間が規定された円又は楕円形の周回表示領域を前記表示出力部の表示画面に出力する周回表示編集部と、
前記ユーザ入力部からの入力に応じて決定された前記照明演出シーケンスの表示色を、前記周回表示領域を周方向に分割したセグメントに割り付けるセグメント生成部と
を備え、
前記周回表示編集部が、前記ユーザ入力部からの入力に応じて前記セグメントの中心角を調整するように構成されたシーケンス設定装置。
【請求項２】
ユーザ入力部及び表示出力部に接続され、照明演出シーケンスを設定するためのシーケンス設定装置であって、
周方向に時間が規定された円又は楕円形の周回表示領域を前記表示出力部の表示画面に出力する周回表示編集部と、
前記ユーザ入力部からの入力に応じて決定された前記照明演出シーケンスの表示色を、前記周回表示領域を周方向に分割したセグメントに割り付けるセグメント生成部と
を備え、
前記周回表示領域の１周の時間に対応するタイムレンジを決定させるためのタイムプロパティ領域を前記表示画面に出力させるタイムレンジ設定部を更に備えたシーケンス設定装置。
【請求項３】
請求項２に記載のシーケンス設定装置において、前記周回表示編集部が、前記タイムプロパティ領域において選択されたタイムレンジに対応して前記セグメントの中心角を決定するように構成されたシーケンス設定装置。
【請求項４】
ユーザ入力部及び表示出力部に接続され、照明演出シーケンスを設定するためのシーケンス設定装置であって、
周方向に時間が規定された円又は楕円形の周回表示領域を前記表示出力部の表示画面に出力する周回表示編集部と、
前記ユーザ入力部からの入力に応じて決定された前記照明演出シーケンスの表示色を、前記周回表示領域を周方向に分割したセグメントに割り付けるセグメント生成部と、
前記表示画面上に表示された再生操作領域からユーザ操作を受け付ける再生操作処理部と、
前記ユーザ操作に応じて、前記周回表示領域のセグメントに割り付けられた表示色を所定の再生表示領域に時系列で再生表示させる再生表示出力部と
を備えたシーケンス設定装置。
【請求項５】
請求項４に記載のシーケンス設定装置において、前記周回表示領域が外円及び内円を有し、前記内円の内側に前記再生操作領域が含まれる、シーケンス設定装置。
【請求項６】
請求項４に記載のシーケンス設定装置において、前記周回表示領域が外円及び内円を有し、前記内円の内側に、前記表示色の選択肢を示すカラーパレット、前記セグメントに関する情報を表示する領域、又は前記所定の再生表示領域が含まれる、シーケンス設定装置。
【請求項７】
請求項４から６のいずれか一項に記載のシーケンス設定装置であって、
前記再生表示中に、前記周回表示編集部が、再生時間に対応して前記周回表示領域の中心部に対して回転するインジケータを表示させるように構成されたシーケンス設定装置。
【請求項８】
請求項４から７のいずれか一項に記載のシーケンス設定装置において、前記再生表示における時間のスケールが短縮又は伸長されるように構成されたシーケンス設定装置。
【請求項９】
請求項１から８のいずれか一項に記載のシーケンス設定装置において、前記周回表示領域が外円及び内円を有し、前記内円の内側に時間がデジタル表示されるように構成され、前記デジタル表示が、前記所定のセグメントに関連する時間を示す、シーケンス設定装置。
【請求項１０】
請求項１から９のいずれか一項に記載のシーケンス設定装置において、前記周回表示領域の開始時間と終了時間が、前記周回表示領域の１周の時間又は１周の４分の１の時間ごとにシフト可能に構成されたシーケンス設定装置。
【請求項１１】
請求項１から１０のいずれか一項に記載のシーケンス設定装置において、前記周回表示領域の１周の時間に対応する時間がＸ分又はＹ時間であり、前記Ｘが６０の約数であり、前記Ｙが２４の約数である、シーケンス設定装置。
【請求項１２】
請求項１から１１のいずれか一項に記載のシーケンス設定装置であって、
各々が照明装置のグループに対応する複数の前記周回表示領域を表示させるグループ一覧表示部と、
前記複数の周回表示領域から、前記ユーザ入力部からの入力に基づいて１つの周回表示領域を前記周回表示編集部による編集対象として選択するグループ選択部と
を更に備えたシーケンス設定装置。
【請求項１３】
請求項１から１２のいずれか一項に記載のシーケンス設定装置と、前記ユーザ入力部と、前記表示出力部とを備えたシーケンス設定システム。
【請求項１４】
コンピュータを、請求項１から１２のいずれか一項に記載のシーケンス設定装置が備える各部として機能させるためのプログラム。
【請求項１５】
請求項１４に記載されたプログラムが記憶されたコンピュータ可読記憶媒体。
【請求項１６】
ユーザ入力部及び表示出力部に接続されたシーケンス設定装置において、照明演出シーケンスを設定するための方法であって、
周方向に時間が規定された円又は楕円形の周回表示領域を前記表示出力部の表示画面に出力するステップと、
前記ユーザ入力部からの入力に応じて決定された照明演出シーケンスの表示色を、前記周回表示領域を周方向に分割したセグメントに割り付けるステップと
を備え、
前記ユーザ入力部からの入力に応じて前記セグメントの中心角が調整される、方法。
【請求項１７】
ユーザ入力部及び表示出力部に接続されたシーケンス設定装置において、照明演出シーケンスを設定するための方法であって、
周方向に時間が規定された円又は楕円形の周回表示領域を前記表示出力部の表示画面に出力するステップと、
前記ユーザ入力部からの入力に応じて決定された照明演出シーケンスの表示色を、前記周回表示領域を周方向に分割したセグメントに割り付けるステップと
を備え、
前記周回表示領域の１周の時間に対応するタイムレンジを決定させるためのタイムプロパティ領域を前記表示画面に出力させるステップを更に備える方法。
【請求項１８】
請求項１７に記載の方法において、前記タイムプロパティ領域において選択されたタイムレンジに対応して前記セグメントの中心角が決定される、方法。
【請求項１９】
ユーザ入力部及び表示出力部に接続されたシーケンス設定装置において、照明演出シーケンスを設定するための方法であって、
周方向に時間が規定された円又は楕円形の周回表示領域を前記表示出力部の表示画面に出力するステップと、
前記ユーザ入力部からの入力に応じて決定された照明演出シーケンスの表示色を、前記周回表示領域を周方向に分割したセグメントに割り付けるステップと、
前記表示画面上に出力された再生操作領域からユーザ操作を受け付けるステップと、
前記ユーザ操作に応じて、前記周回表示領域のセグメントに割り付けられた表示色を所定の再生表示領域に時系列で再生表示させるステップと
を備える方法。
【請求項２０】
請求項１９に記載の方法において、前記周回表示領域が外円及び内円を有し、前記内円の内側に前記再生操作領域が含まれる、方法。
【請求項２１】
請求項１９に記載の方法において、前記周回表示領域が外円及び内円を有し、前記内円の内側に、前記表示色の選択肢を示すカラーパレット、前記セグメントに関する情報を表示する領域、又は前記所定の再生表示領域が含まれる、方法。
【請求項２２】
請求項１９から２１のいずれか一項に記載の方法において、前記再生表示中に、再生時間に対応して前記周回表示領域の中心部に対して回転するインジケータが表示される、方法。
【請求項２３】
請求項１９から２２のいずれか一項に記載の方法において、前記再生表示における時間のスケールが短縮又は伸長される、方法。
【請求項２４】
請求項１６から２３のいずれか一項に記載の方法において、前記周回表示領域が外円及び内円を有し、前記内円の内側に時間がデジタル表示され、該デジタル表示が、前記所定のセグメントに関連する時間を示す、方法。
【請求項２５】
請求項１６から２４のいずれか一項に記載の方法において、前記周回表示領域の開始時間と終了時間が、前記周回表示領域の１周の４分の１の時間ごとにシフトされる、方法。
【請求項２６】
請求項１６から２５のいずれか一項に記載の方法において、前記周回表示領域の１周の時間に対応する時間がＸ分又はＹ時間であり、前記Ｘが６０の約数であり、前記Ｙが２４の約数である、方法。
【請求項２７】
請求項１６から２６のいずれか一項に記載の方法であって、
各々が照明装置のグループに対応する複数の前記周回表示領域を表示させるステップと、
前記複数の周回表示領域から、前記ユーザ入力部からの入力に基づいて１つの周回表示領域を前記周回表示編集部による編集対象として選択するステップと
を更に備える方法。